(57)【要約】【課題】ロータキー部材（２０）、関連アセンブリ及び蒸気タービン（２）を提供する。【解決手段】様々な実施形態は、ロータキー部材（２０）、関連アセンブリ及び蒸気タービン（２）を含む。具体的な実施形態は、蒸気タービン（２）ロータ本体（４６）の周方向シール（２４、１２４）を半径方向に保持するためのロータキー部材（２０）を含み、ロータキー部材（２０）は、周方向シール（２４、１２４）の軸方向面（５６）と接するように寸法付けられている本体（２６）と、周方向シール（２４、１２４）から軸方向に離れる方向に本体（２６）から延在するフック（２８、３４）とを含み、フック（２８、３４）は、蒸気タービン（２）ロータ本体（４６）に対する周方向シール（２４、１２４）の移動を制限するために、蒸気タービン（２）ロータ本体（４６）の対応する棚（１３４）に実質的に適合するように寸法付けられている。【選択図】図２
2017106448.tif 000002
【特許請求の範囲】
【請求項１】
蒸気タービン（２）ロータ本体（４６）の周方向シール（２４、１２４）を半径方向に保持するためのロータキー部材（２０）であって、
周方向シール（２４、１２４）の軸方向面（５６）と接するように寸法付けられている本体（２６）と、
周方向シール（２４、１２４）から軸方向に離れる方向に本体（２６）から延在するフック（２８）であって、蒸気タービン（２）ロータ本体（４６）に対する周方向シール（２４、１２４）の移動を制限するために、蒸気タービン（２）ロータ本体（４６）の対応する棚（３０）に実質的に適合するように寸法付けられているフック（２８、３４）とを含む、ロータキー部材（２０、１２０）。
【請求項２】
フック（２８、３４）が、周方向シール（２４、１２４）から軸方向に離れる方向に本体（２６）から延在する第１の部分（１３０）と、第１の部分（１３０）から半径方向内向きに延在する第２の部分（１３２）とを含む、請求項１に記載のロータキー部材（２０、１２０）。
【請求項３】
本体（２６）及び第２の部分（１３２）が、周方向シール（２４、１２４）の対応する棚（３０、１３４）に適合するように寸法付けられている棚部（１３６）を形成する、請求項２に記載のロータキー部材（２０、１２０）。
【請求項４】
本体（２６）及びフック（２８、３４）が、実質的に単体構造であり、共通の材料で形成されている、請求項１に記載のロータキー部材（２０、１２０）。
【請求項５】
共通の材料が鋼を含む、請求項４に記載のロータキー部材（２０、１２０）。
【請求項６】
フック（２８）が、蒸気タービン（２）ロータ本体（４６）の棚（３０）と接するように寸法付けられている第１の表面（３２）を有し、ロータキー部材（２０、１２０）が、本体（２６）と第１の表面（３２）のフック（２８）とは異なる第２の表面（３４）のフック（２８）との間に延在する面取り縁部（３６）をさらに備える、請求項１に記載のロータキー部材（２０、１２０）。
【請求項７】
ロータ本体（４６）の主軸の周りで実質的に完全に周方向に延在するスロット（４８）を有するロータ本体（４６）であって、スロット（４８）が、
ロータ本体（４６）の周りで実質的に全円周距離に延在する一次スロット（５０）と、
一次スロット（５０）から軸方向に延在し、ロータ本体（４６）の周りで円周距離（４６）の一部にだけかかる二次スロット（５２）とを含むロータ本体（４６）と、
ロータ本体（４６）の周りで実質的に全円周距離にかかる、一次スロット（５０）内の周方向シール（２４、１２４）と、
周方向シール（２４、１２４）の軸方向面（５６）と接している、一次スロット（５０）内の一組のシール保持部材（５４）と、
第１のロータキー部材（２０、１２０）であって、
周方向シール（２４、１２４）の軸方向面（５６）と接するように寸法付けられている本体（２６）と、
周方向シール（２４、１２４）から軸方向に離れる方向に本体（２６）から延在するフック（２８、３４）であって、一次スロット（５０）の対応する棚（３０、１３４）に実質的に適合するように寸法付けられているフック（２８、３４）とを含む第１のロータキー部材（２０、１２０）とを含む、蒸気タービンロータアセンブリ（２２、１２２）。
【請求項８】
ケーシング（７）と、
ケーシング（７）内に少なくとも部分的に収容されたロータアセンブリ（２２、１２２）であって、
ロータ本体（４６）の主軸の周りで実質的に完全に周方向に延在するスロット（４８）を有するロータ本体（４６）を備え、スロット（４８）が、
ロータ本体（４６）の周りで実質的に全円周距離に延在する一次スロット（５０）と、
一次スロット（５０）から軸方向に延在し、ロータ本体（４６）の周りで円周距離（４６）の一部にだけかかる二次スロット（５２）とを含む、ロータアセンブリ（２２、１２２）と、
ロータ本体（４６）の周りで実質的に全円周距離にかかる、一次スロット（５０）内の周方向シール（２４、１２４）と、
周方向シール（２４、１２４）の軸方向面（５６）と接している、一次スロット（５０）内の一組のシール保持部材（５４）と、
周方向シール（２４、１２４）の軸方向面（５６）と接するように寸法付けられている本体（２６）と、
周方向シール（２４、１２４）から軸方向に離れる方向に本体（２６）から延在するフック（２８、３４）であって、一次スロット（５０）の対応する棚（３０、１３４）に実質的に適合するように寸法付けられているフック（２８、３４）とを含む第１のロータキー部材（２０、１２０）とを含む、蒸気タービン（２）。
【請求項９】
第１のロータキー部材（２０、１２０）が、二次スロット（５２）を半径方向に通って一次スロット（５０）内に周方向に入り、一次スロット（５０）の棚（３０、１３４）に係合して周方向シール（２４、１２４）と接するように寸法付けられている、請求項８に記載の蒸気タービン（２）。
【請求項１０】
一次スロット（５０）の第１のロータキー部材（２０、１２０）を保持するための第２のロータキー部材（２０、１２０）をさらに含み、第２のロータキー部材（２０、１２０）が、二次スロット（５２）を実質的に充填し、周方向シール（２４、１２４）の周方向の移動を制限するように寸法付けられている、請求項８に記載の蒸気タービン（２）。
【発明の詳細な説明】
【技術分野】
【０００１】
本明細書で開示される主題は、蒸気タービンに関する。具体的には、本明細書で開示される主題は、蒸気タービンのシール装置に関する。
【背景技術】
【０００２】
蒸気タービンは、回転するロータに連結されたタービンバケットの中に作動流体の流れを導く、静止したノズルアセンブリを含む。ノズル構成（複数のノズル、すなわち「翼形部」を含む）は、時には「ダイヤフラム」又は「ノズルアセンブリ段」と呼ばれる。蒸気タービンダイヤフラムは、ロータの周りに組み立てられた２つの半体を含み、これら２つの半体の間に水平ジョイントを形成する。各タービンダイヤフラム段は、それぞれの水平ジョイントにおいてダイヤフラムの各側面上の支持バー、支持ラグ、又は支持ネジによって垂直方向に支持される。ダイヤフラムの水平ジョイントはまた、タービンケーシングの水平ジョイントに対応し、タービンケーシングは蒸気タービンダイヤフラムを取り囲む。
【０００３】
蒸気タービンは、ロータ部品とステータ部品との間のシールを利用するが、典型的に、前者はロータバケット先端の半径方向外側にあり、後者（ステータ）はダイヤフラムノズルカバーの半径方向内側にある。一部のシールは、ロータ及び／又はステータの歯として形成されているが、他の構成は、ロータの周方向ダブテールスロット内に配置されている周方向（又は回転）シールを含む。これらの回転（周方向）シールは、半径方向保持、回転制御、周方向ロック、及び円周にわたるシールの整合性を含む、固有の意匠制約を示す。
【先行技術文献】
【特許文献】
【０００４】
【特許文献１】米国特許出願公開第２０１２／０２５１３０３号明細書
【発明の概要】
【０００５】
様々な実施形態は、ロータキー部材、関連アセンブリ及び蒸気タービンを含む。具体的な実施形態は、蒸気タービンロータ本体の周方向シールを半径方向に保持するためのロータキー部材を含み、ロータキー部材は、周方向シールの軸方向面と接するように寸法付けられている本体と、周方向シールから軸方向に離れる方向に本体から延在するフックとを含み、フックは、蒸気タービンロータ本体に対する周方向シールの移動を制限するために、蒸気タービンロータ本体の対応する棚に実質的に適合するように寸法付けられている。
【０００６】
本開示の第１の態様は、蒸気タービンロータ本体の周方向シールを半径方向に保持するためのロータキー部材を含み、ロータキー部材は、周方向シールの軸方向面と接するように寸法付けられている本体と、周方向シールから軸方向に離れる方向に本体から延在するフックであって、蒸気タービンロータ本体に対する周方向シールの移動を制限するために、蒸気タービンロータ本体の対応する棚に実質的に適合するように寸法付けられている。
【０００７】
本開示の第２の態様は、ロータ本体の主軸の周りで実質的に完全に周方向に延在するスロットを有するロータ本体であって、スロットが、ロータ本体の周りで実質的に完全に円周距離に延在する一次スロットと、一次スロットから軸方向に延在し、ロータ本体の周りで円周距離の一部にだけかかる二次スロットとを含むロータ本体と、ロータ本体の周りで実質的に完全に円周距離にかかる、一次スロット内の周方向シールと、周方向シールの軸方向面と接している、一次スロット内の一組のシール保持部材と、第１のロータキー部材であって、周方向シールの軸方向面と接するように寸法付けられている本体と、周方向シールから軸方向に離れる方向に本体から延在するフックであって、一次スロットの対応する棚に実質的に適合するように寸法付けられているフックとを含む、第１のロータキー部材とを有する、蒸気タービンロータアセンブリを含む。
【０００８】
本開示の第３の態様は、ケーシングと、ケーシング内に少なくとも部分的に収容されたロータアセンブリであって、ロータアセンブリが、ロータ本体の主軸の周りで実質的に完全に周方向に延在するスロットを有するロータ本体を備え、スロットが、ロータ本体の周りで実質的に全円周距離に延在する一次スロットと、一次スロットから軸方向に延在し、ロータ本体の周りで円周距離の一部にだけかかる二次スロットとを含む、ロータアセンブリと、ロータ本体の周りで実質的に全円周距離にかかる、一次スロット内の周方向シールと、周方向シールの軸方向面と接している、一次スロット内の一組のシール保持部材と、周方向シールの軸方向面と接するように寸法付けられている本体と、周方向シールから軸方向に離れる方向に本体から延在するフックであって、一次スロットの対応する棚に実質的に適合するように寸法付けられているフックとを含む、第１のロータキー部材とを有する、蒸気タービンを含む。
【０００９】
本発明のこれらの及び他の特徴は、本開示の様々な実施形態を示す添付の図面と併せて、本発明の様々な態様の以下の詳細な説明から、より容易に理解されよう。
【図面の簡単な説明】
【００１０】
【図１】様々な実施形態による蒸気タービンの部分的な断面概略図である。
【図２】本開示の様々な実施形態による蒸気タービンロータアセンブリの概略的な３次元斜視図である。
【図３】本開示の様々な実施形態による蒸気タービンロータアセンブリの概略的な断面図である。
【図４】本開示の様々な実施形態による蒸気タービンロータアセンブリの一部分の概略的な３次元斜視図である。
【図５】本開示の様々な実施形態による蒸気タービンロータアセンブリの概略的な断面図である。
【図６】本開示の様々な実施形態による蒸気タービンロータアセンブリの一部分の概略的な３次元斜視図である。
【図７】周方向シール部材を除く、本開示の様々な実施形態による図６のロータアセンブリの一部分の３次元斜視図である。
【図８】本開示の様々な実施形態によるロータアセンブリの一部分の３次元斜視図である。
【図９】本開示の様々な実施形態によるロータアセンブリの３次元斜視図である。
【発明を実施するための形態】
【００１１】
本発明の図面は、必ずしも原寸に比例していないことに留意されたい。図面は、本発明の典型的な態様だけを示すことを目的としており、したがって、本発明の範囲を限定するものとみなすべきではない。図面においては、図面間で類似する符号は類似する要素を示す。
【００１２】
本明細書で開示される主題は、蒸気タービンに関する。具体的には、本明細書で開示される主題は、蒸気タービンの回転シールに関する。
【００１３】
本開示の様々な実施形態によると、装置（たとえばキー部材）は、蒸気タービンの周方向（回転可能な）シールをロック／ロック解除するように構成されており、いずれもシールを半径方向に保持すると共に回転を防止している。周方向シールを保持する従来のアプローチは、望ましくない回転を可能にすると共に、スリップ及びクリープに影響されやすく、スリップ及びクリープはシールの有効性を低減させ、シール及び隣接する部品を摩耗させる。これらの従来のアプローチとは対照的に、様々な実施形態は、ロータ本体内のキースロットに係合し、かつ隣接する周方向シールを半径方向に保持するように寸法付けられている半径方向キー部材を含む。場合によっては、半径方向キー部材は、周方向に配置されたシール保持部材の間に配置されている。さらなる実施形態では、第２のキー部材は、半径方向キー部材を定位置にロックし、かつ回転シールを周方向寸法に保持するために使用される。半径方向キー部材は、ロータ本体のスロットに係合するように寸法付けられている１以上の軸方向に延在するフックを含むことができる。半径方向キー部材は、ロータ本体内のキースロットの周方向シール及び軸方向に対向する壁の両方と接するのに十分な軸方向幅を有している。
【００１４】
これらの図に示すように、「Ａ」軸は、軸方向（タービンロータの軸に沿っており、タービン中心線と呼ばれることもあり、明瞭にするために省略される）を示している。本明細書で用いる「軸方向の」及び／又は「軸方向に」という用語は、軸Ａに沿った対象物の相対的な位置／方向を指し、線Ａはターボ機械の回転軸（具体的にはロータセクション）と実質的に平行である。さらに本明細書で用いる「半径方向の」及び／又は「半径方向に」という用語は、軸（ｒ）に沿った対象物の相対的な位置／方向を指し、軸（ｒ）は軸Ａと実質的に直交し、かつ一箇所のみで軸Ａと交差する。さらに、「周方向の」及び／又は「周方向に」という用語は、円周（ｃ）に沿った対象物の相対的な位置／方向を指し、周線（ｃ）は軸線Ａを取り囲むが、いずれの位置でも軸線Ａと交差しない。図において同一の符号が付された要素は、実質的に同様の（たとえば同一の）部品を示している。
【００１５】
図１を参照すると、蒸気タービン２（たとえば高圧／中圧蒸気タービン）の部分的な断面概略図が示されている。蒸気タービン２は、例えば、低圧（ＬＰ）セクション４及び高圧（ＨＰ）セクション６を含むことができる（当業内では周知のように、ＬＰセクション４及びＨＰセクション６のいずれかは、中圧（ＩＰ）セクションを含むことができる）。ＬＰセクション４及びＨＰセクション６は、ケーシング７に少なくとも部分的に収容される。蒸気は、ケーシング７の１つ以上の入口８を通ってＨＰセクション６及びＬＰセクション４に流入し、入口８から軸方向下流側に流れることができる。一部の実施形態では、ＨＰセクション６及びＬＰセクション４は共通シャフト１０で結合され、共通シャフト１０は軸受け１２と接することができ、作動流体（蒸気）がＬＰセクション４及びＨＰセクション６の各々の中のブレードを回転させると、シャフト１０の回転が可能になる。ＬＰセクション４及びＨＰセクション６内のブレードで機械的仕事を行った後に、作動流体（たとえば蒸気）は、ケーシング７の出口１４から出ることができる。ＨＰセクション６及びＬＰセクション４の中心線（ＣＬ）１６を基準点として示す。ＬＰセクション４及びＨＰセクション６は、いずれもダイヤフラムアセンブリを含むことができ、ダイヤフラムアセンブリはケーシング７のセグメント内に収容されている。
【００１６】
図２は、様々な実施形態による蒸気タービンロータアセンブリ（又は単にロータアセンブリ）２２内のロータキー部材２０の概略的な３次元斜視図である。図３は、図２と同時に参照すると、様々な実施形態によるロータアセンブリ２２の概略的な断面図である。図２及び図３に示すように、ロータキー部材２０は、蒸気タービンの周方向シール２４（たとえば、蒸気タービン２のような蒸気タービン内のロータアセンブリ２２内にある）を保持するように寸法付けられて（構成されて）いる。ロータアセンブリ２２（周方向シール２４を含む）は、蒸気タービンのＨＰ、ＩＰ及び／又はＬＰセクション内の部品（たとえば蒸気タービン２のＨＰ６、ＬＰ４等のセクション）とすることができる。ロータキー部材２０は、周方向シール２４の軸方向面５６（軸方向対向面）と接するように寸法付けられている本体２６と、周方向シール２４から軸方向に離れる方向に本体２６から延在するフック２８とを含んでいる。フック２８は、ロータ本体４６に対する周方向シール２４の移動を制限する（たとえば、周方向シール２４の軸方向及び／又は半径方向の移動を制限する）ために、ロータ本体４６の対応する棚３０に実質的に（たとえば完全に又はほぼ完全に）適合するように寸法付けられている。場合によっては、フック２８は（たとえば場合によっては、本体２６から実質的に垂直に）（たとえば１〜３％偏差のような許容可能なマージンの偏差内で垂直に）延在する。様々な実施形態では、フック２８は、ロータ本体４６の棚３０と接するように寸法付けられている第１の表面３２であって、丸い又は膨らんでいる棚３０の特性に対応して一致するように丸い又は膨らんでいる第１の表面３２と、第１の表面３２に実質的に対向し、第１の表面３２の軸方向内方に配置されている（第１の表面３２とは異なる）第２の表面３４とを有している。場合によっては、図３の実施形態に示すように、第２の表面３４は、第２の表面３４で本体２６及びフック２８の間に延在する、フィレと、ベベル又は面取り縁部３６を含むことができる。
【００１７】
図４は、ロータキー部材１２０及び周方向シール（セグメント）１２４を含むロータアセンブリ１２２の一部分の別の実施形態の３次元斜視図である。図５は、図４と同時に参照すると、様々な実施形態によるロータアセンブリ１２２の概略的な断面図である。図４及び図５に示すように、ロータキー部材１２０は、ロータキー部材２０と共通するいくつかの特徴を有することができ、周方向シール１２４は、周方向シール２４と共通するいくつかの特徴を有することができる。一部の実施形態では、ロータキー部材１２０のフック２８は、周方向シール１２４から軸方向に離れる方向に本体２６から延在する第１の部分１３０と、第１の部分１３０から半径方向内向きに延在する第２の部分１３２とを含むことができる。場合によっては、周方向シール１２４は棚１３４を含むことができ、本体２６及びフック２８の第２の部分１３２は、周方向シール１２４の棚１３４に（たとえば面一、又はほぼ面一に）適合するように寸法付けられている棚部１３６を形成することができる。場合によっては、図４に示すように、周方向シール１２４の棚１３４は、ロータ本体４６の周りで円周距離の一部分、たとえば棚部１３６に係合するのに十分な距離を延ばすことができる。様々な実施形態では、ロータキー部材１２０は、ロータ本体４６内に周方向に摺動して入り、棚３０に係合するように寸法付けられている。
【００１８】
様々な実施形態では、（ロータキー部材２０、１２０内の）本体２６及びフック２８は、実質的に単体構造とすることができ、共通の材料で形成することができる。この材料は鋼を含むことができ、例えば、約２．５％・約１２％のクロム（たとえばＩＮＣＯ６１５又はＩＮＣＯ７１８）を含む。場合によっては、ロータキー部材２０、１２０は、単一の材料片で形成することができ、たとえば、共通の材料から鍛造、金型加工、鋳造或いは他の方法で形成することができる。
【００１９】
図６は、ロータキー部材２０を除く、図３のロータアセンブリ２２の概略的な３次元斜視図である。図７は、周方向シール２４及びロータキー部材２０を除く、ロータアセンブリ２２の一部分の３次元斜視図である。本明細書で説明するように、図８は、ロータキー部材２０を含むロータアセンブリ２２の一部分の３次元斜視図である。図９は、第２のロータキー部材２２０をさらに含む図８のロータアセンブリ２２を示している。
【００２０】
図６〜図９を引き続き参照しながら図３に戻ると、ロータアセンブリ２２は、ロータ本体４６の主軸（Ａ）の周りで実質的に完全に周方向に延在するスロット４８を有するロータ本体４６を含んで示されている（主軸Ａは蒸気タービンの回転軸に対応する）。スロット４８は、ロータ本体４６の周りで実質的に完全に円周距離に延在する一次スロット５０と、一次スロット５０から軸方向に延在し、ロータ本体４６の周りで円周距離の一部にだけかかる二次スロット５２（図６、７、８）とを含むことができる。図３に示すように、ロータアセンブリ２２はさらに、ロータ本体４６の周りで実質的に完全に円周距離にかかる周方向シール２４を、（たとえばセクションで、又は１つの連続的な材料部品として）一次スロット５０内に含むことができる。図９は、一次スロット５０内のロータキー部材２０（又はロータキー部材１２０）を周方向に保持する、二次スロット５２内の第２のロータキー部材２２０を含むロータアセンブリ２２のさらなる部品を示している。第２のロータキー部材２２０及びロータキー部材２０（又はロータキー部材１２０）は、いずれも周方向シール２４の軸方向面５６と接している。図９に示すように、第２のロータキー部材２２０は二次スロット５２内に配置され（及びこれを実質的に充填し）、周方向シール２４の軸方向面５６と接している。ロータキー部材２２０は、二次スロット５２を（半径方向に）摺動して出入りして、とりわけフック、溶接、又は他の結合機構を使用してロータキー部材２０、１２０をロックするように寸法付けられてもよい。ロータキー部材２２０は、ロータキー部材２０、１２０（ひいては、周方向シール２４）をロック／アンロックするために、二次スロット５２に挿入又は二次スロット５２から取り外すことができる。図６及び図８に示すように、一部の実施形態では、周方向シール２４は、周方向に一部にだけ延在して軸方向面５６に隣接するセグメント間の区切りとなる凹部４３を含むことができる。場合によっては、この凹部４３は、第２のロータキー部材２２０を収容するように、かつ二次スロット５２と一致するように寸法付けることができる。本明細書で述べるように、第２のロータキー部材２２０は、一次スロット５０内の（第１の）ロータキー部材２０（又はロータキー部材１２０）を保持するように寸法付けられ（構成され）ており、ここで第２のロータキー部材２２０は、二次スロット５２を実質的に充填し、周方向シール２４の周方向の移動を制限するように寸法付けられている。様々な実施形態では、ロータキー部材２０（及び／又は本明細書に記載する様々な実施形態では差し替えられてもよいロータキー部材１２０）は、二次スロット５２を半径方向に通って一次スロット５０内に周方向に入り、一次スロット５０の棚３０に係合して周方向シール２４と接するように寸法付けることができる。
【００２１】
蒸気タービン２の運転中、ロータアセンブリ２２は、軸方向面５６に軸方向の圧力を与えることで周方向シール２４を保持することができる。具体的には、シール保持部材５４は、周方向シール（の軸方向面５６）に軸方向の圧力を加えることができ、一方でロータキー部材２０は、シール保持部材５４を周方向に定位置にロックする（ここで第１のアーム２８は、二次スロット５２により保持されている）。さらに、ロータキー部材２０は周方向シール２４の軸方向面を凹部４３内に係合して、ロータ本体４６に対する周方向シール２４の周方向の回転を制限する。また、フック３４は、周方向シール２４の半径方向内面に係合して、ロータ本体４６に対する周方向シール２４の軸方向の回転を制限する。様々な実施形態によれば、ロータキー部材２０（及びロータアセンブリ２２）は、蒸気タービン（たとえば蒸気タービン２）内の複数の段で利用することができ、周方向シール部品の組立分解の助けとなるだけでなく、摩耗と部品の故障による複雑な問題とを減少させることができる。
【００２２】
本明細書で用いる用語は、特定の実施形態を説明することだけを目的とし、本開示を限定することを目的とするものではない。本明細書で用いられるように、文脈で別途明確に指示しない限り、単数形「１つの（ａ）」、「１つの（ａｎ）」及び「前記（ｔｈｅ）」は複数形も含むものとする。「含む（ｃｏｍｐｒｉｓｅｓ）」及び／又は「含む（ｃｏｍｐｒｉｓｉｎｇ）」という用語は、本明細書で使用される場合に、記載した特徴、整数、ステップ、動作、要素、及び／又は部品の存在を示すが、１つ以上の他の特徴、整数、ステップ、動作、要素、部品、及び／又はこれらのグループの存在もしくは追加を排除するものではないことがさらに理解されるであろう。
【００２３】
この明細書は、本発明を開示するために実施例を用いており、最良の形態を含んでいる。また、いかなる当業者も本発明を実施することができるように実施例を用いており、任意のデバイス又はシステムを製作し使用し、任意の組み込まれた方法を実行することを含んでいる。・本発明の特許され得る範囲は、請求項によって定義され、当業者が想到する他の実施例を含むことができる。このような他の実施例が請求項の字義通りの文言と異ならない構造要素を含む場合、又は、それらが請求項の字義通りの文言と実質的な差異がない等価な構造要素を含む場合には、このような他の実施例は特許請求の範囲内であることを意図している。
【符号の説明】
【００２４】
２  蒸気タービン
４  低圧ＬＰセクション
６  高圧ＨＰセクション
７  ケーシング
８  入口
１０  シャフト
１２  軸受け
１４  出口
１６  中心線ＣＬ
２０  ロータキー部材
２２  ロータアセンブリ
２４  周方向シール
２６  本体
２８  フック
３０  棚
３２  第１の表面
３４  第２の表面
３６  面取り縁部
４３  凹部
４６  ロータ本体
４８  スロット
５０  一次スロット
５２  二次スロット
５４  シール保持部材
５６  軸方向面
１２０  ロータキー部材
１２２  ロータアセンブリ
１２４  周方向シール
１３０  第１の部分
１３２  第２の部分
１３４  棚
１３６  棚部
２２０  ロータキー部材
【図１】
2017106448.tif 000003
【図２】
2017106448.tif 000004
【図３】
2017106448.tif 000005
【図４】
2017106448.tif 000006
【図５】
2017106448.tif 000007
【図６】
2017106448.tif 000008
【図７】
2017106448.tif 000009
【図８】
2017106448.tif 000010
【図９】
2017106448.tif 000011
【外国語明細書】
2017106448000001.pdf